【事件の表示】
　特願２０００−　５７７０８「ラジオ受信装置」拒絶査定不服審判事件〔平成１３年　９月１４日出願公開、特開２００１−２５０３６８〕について、次のとおり審決する。
【結　論】
　本件審判の請求は、成り立たない。
【理　由】
第１　手続の経緯
　本願は、平成１２年３月２日の出願であって、平成１６年５月２１日付け拒絶理由通知に対して、同年７月２３日付けで意見書及び手続補正書が提出されたが、同年１１月１０日付けで拒絶すべき旨の査定がなされ、これに対し、同年１２月１６日に拒絶査定不服の審判が請求されるとともに、平成１７年１月１７日付けで手続補正書が提出されたものである。
　
第２　平成１７年１月１７日付けの手続補正についての補正却下の決定
　
〔補正却下の決定の結論〕
　平成１７年１月１７日付けの手続補正（以下、「本件補正」という。）を却下する。
　
〔理　由〕
１．本件補正前及び本件補正後の本願発明
　本件補正は、特許請求の範囲及び発明の詳細な説明についてするもので、特許請求の範囲については、本件補正前に、
「【請求項１】　複数のラジオ放送を同時に受信し、該複数のラジオ放送のオーディオ信号を復調する受信手段と、
　同一の内容を放送している複数のラジオ放送の各々の周波数を記憶した周波数テーブルと、
　前記受信手段が受信しているラジオ放送の電波強度を検出し、該電波強度が所定値以下の場合には前記周波数テーブルを参照して受信するラジオ放送の周波数を切り換える制御手段と、
　前記オーディオ信号を記憶する記憶手段と、
　前記受信手段が復調した複数のラジオ放送のオーディオ信号を受信時刻を示す時刻情報および当該ラジオ放送を識別するチャンネル情報を付加して前記記憶手段に書き込む書込手段と、
　前記記憶手段に記憶されているオーディオ信号の再生箇所を前記時刻情報またはチャンネル情報で指定する指定手段と、
　前記指定手段で指定された再生箇所のオーディオ信号を前記記憶手段から読み出して再生する再生手段と、
　を備え、前記書込手段と再生手段が並行して動作するラジオ受信装置。
　【請求項２】　前記書込手段は、所定のサンプリングクロックでオーディオ信号をデジタル化する手段であって、
　前記受信手段は、各サンプリングクロックの１周期の時間内に、前記書込手段に対して前記複数のラジオ放送のオーディオ信号を切換入力し、
　前記書込手段は、各サンプリングクロックの１周期の時間内に、前記複数のラジオ放送のオーディオ信号をそれぞれデジタル化する請求項１に記載のラジオ受信装置。
　【請求項３】　前記受信手段は、それぞれが１つのラジオ放送を受信する複数のチューナを備えている請求項１または請求項２に記載のラジオ受信装置。
　【請求項４】　前記受信手段は、受信するラジオ放送を高速に切り換え可能なチューナを備えている請求項１または請求項２に記載のラジオ受信装置。
　【請求項５】　前記再生手段は、再生するオーディオ信号の速度を変換して再生する請求項１乃至請求項４のいずれかに記載のラジオ受信装置。」
　
とあったものを、
　
「【請求項１】　複数のラジオ放送を同時に受信し、該複数のラジオ放送のオーディオ信号を復調する受信手段と、
　同一の内容を放送している複数のラジオ放送の各々の周波数を記憶した周波数テーブルと、
　前記受信手段が受信しているラジオ放送の電波強度を検出し、該電波強度が所定値以下の場合には前記周波数テーブルを参照して受信するラジオ放送の周波数を切り換える制御手段と、
　前記オーディオ信号を記憶する記憶手段と、
　前記受信手段が復調した複数のラジオ放送のオーディオ信号を受信時刻を示す時刻情報および当該ラジオ放送を識別するチャンネル情報を付加して前記記憶手段に書き込む書込手段であって、前記記憶手段に記憶されている古いオーディオ信号から順に新しいオーディオ信号で上書き更新してゆくものと、
　前記記憶手段に記憶されているオーディオ信号の再生箇所を前記時刻情報またはチャンネル情報で指定する指定手段と、
　前記指定手段で指定された再生箇所のオーディオ信号を前記記憶手段から読み出して再生する再生手段と、
　を備え、前記書込手段と再生手段が並行して動作するラジオ受信装置。
　【請求項２】　前記書込手段は、所定のサンプリングクロックでオーディオ信号をデジタル化する手段であって、
　前記受信手段は、各サンプリングクロックの１周期の時間内に、前記書込手段に対して前記複数のラジオ放送のオーディオ信号を切換入力し、
　前記書込手段は、各サンプリングクロックの１周期の時間内に、前記複数のラジオ放送のオーディオ信号をそれぞれデジタル化する請求項１に記載のラジオ受信装置。
　【請求項３】　前記受信手段は、それぞれが１つのラジオ放送を受信する複数のチューナを備えている請求項１または請求項２に記載のラジオ受信装置。
　【請求項４】　前記受信手段は、受信するラジオ放送を高速に切り換え可能なチューナを備えている請求項１または請求項２に記載のラジオ受信装置。
　【請求項５】　前記再生手段は、再生するオーディオ信号の速度を変換して再生する請求項１乃至請求項４のいずれかに記載のラジオ受信装置。」
　
と補正しようとするものである。
　
　すると、本件補正は、各請求項において、書込手段が記憶手段に記憶されている古いオーディオ信号から順に新しいオーディオ信号で上書き更新してゆくものであることを限定するものであるから、特許法第１７条の２第４項第２号の特許請求の範囲の減縮を目的とするものに該当する。
　そこで、本件補正後における特許請求の範囲に記載されている事項により特定される発明が特許出願の際独立して特許を受けることができるものであるか（特許法第１７条の２第５項において準用する同法第１２６条第５項に規定する要件を満たすか）否かを、請求項１に係る発明（以下、「本願補正発明」という。）について以下に検討する。
　
２．引用例
　原査定の拒絶の理由に引用された、本願出願前に頒布された刊行物である特開平１０−１９９１４２号公報（以下、「引用例」という。）には、番組記録装置に関し、図面とともに以下の技術事項が記載されている（なお、アンダーラインは当審で付与した。）。
（ａ）
「【００１０】図２は、本発明の実施の形態に係る光ディスク装置を示すブロック図である。
この光ディスク装置１は、アンテナ２で受信したテレビジョン放送波をチューナー３に入力する。ここでチューナー３は、システム制御回路４の制御により動作を切り換える４系統の選局回路、復調器により構成され、ユーザーの所望する複数チャンネルのテレビジョン放送波を選局して、ビデオ信号及びオーディオ信号ＳＶＡ〜ＳＶＤを出力する
【００１１】
アナログディジタル変換回路（Ａ／Ｄ）６Ａ〜６Ｄは、それぞれビデオ信号ＳＶＡ〜ＳＶＤをアナログディジタル変換処理し、ディジタルビデオ信号及びディジタルオーディオ信号を出力する
【００１２】
圧縮器７Ａ〜７Ｄは、ＭＰＥＧ（Moving Picture Experts Group）の符号化方式により、それぞれアナログディジタル変換回路６Ａ〜６Ｄから入力されるディジタルビデオ信号及びディジタルオーディオ信号をデータ圧縮して出力する。このとき圧縮器７Ａ〜７Ｄは、システム制御回路４により制御されて録画モードに応じて動作を切り換え、各録画モードで対応するデータ圧縮率により符号化データＤＦＡ〜ＤＦＤを出力する
【００１３】すなわち圧縮器７Ａ〜７Ｄは、標準モードにおいて、４〔Ｍｂｐｓ〕により符号化データＤＦＡ〜ＤＦＤを出力するのに対し、第１及び第２の長時間録画モードにおいては、それぞれ２〔Ｍｂｐｓ〕及び１〔Ｍｂｐｓ〕により符号化データＤＦＡ〜ＤＦＤを出力する。
【００１４】
マルチプレクサ８は、図示しないタイミングジェネレータより出力される切り換え信号ＳＥＬ１に応動して接点を切り換え、圧縮器７Ａ〜７Ｄより出力される符号化データＤＦＡ〜ＤＦＤを選択出力する
【００１５】この切り換え信号ＳＥＬ１により、マルチプレクサ８は、何れかの番組を標準モードにより記録する場合、また１つの番組を第１又は第２の長時間モードにより記録する場合、符号化データＤＦＡ〜ＤＦＤのうちの、対応する符号化データを選択的に出力する。これに対して複数の番組を第１又は第２の長時間モードにより記録する場合、所定の順序でクロックＣＫに同期して接点を切り換え、これによりこの複数番組に対応する符号化データＤＦＡ〜ＤＦＤ（図３（Ｂ）〜（Ｄ））をビット単位で多重化して
多重化データＤＦ（図３（Ｆ））を出力する
【００１６】
ＥＣＣ符号化器９は、マルチプレクサ８の出力データＤＦに誤り訂正符号、ヘッダのデータ等を付加した後、光ディスクの記録に適した符号化方式により符号化して出力する。変調器１０は、このＥＣＣ符号化器９の出力データに基づいて変調信号を生成し、この変調信号により光ピックアップ１１を駆動する
【００１７】光ピックアップ１１は、光ディスク１２の情報記録面に、レーザービームＬを照射し、記録時、変調器１０より出力される変調信号により、このレーザービームＬの光量を間欠的に立ち上げる。また光ディスク１２の排出時、光ディスク装置１の電源立ち下げ時、光ピックアップ１１は、光ディスク１２の最内周に形成された管理用領域に移動した後、変調器１０より出力される変調信号により、このレーザービームＬの光量を間欠的に立ち上げる。
【００１８】すなわち光ディスク１２は、記録再生可能な相変化型の光ディスクでなり、同心円状に又はらせん状に情報を記録できるようになされている。この光ディスク１２は、情報記録面が同心円状に分割されて、内周側の領域が管理用領域に割り当てられ、外周側の領域がユーザー領域に割り当てられるようになされている。光ディスク１２は、このユーザー領域にビデオ信号及びオーディオ信号が記録され、このユーザー領域の管理用データが管理用領域に記録される。これにより光ディスク１２は、この管理用領域をアクセスして、ユーザー領域に記録されたビデオ信号、オーディオ信号のアドレス情報、録画モード、マルチプレクサ８の切り換え情報、ユーザー領域の記録可能領域等を検出できるようになされている。
【００１９】かくするにつき光ピックアップ１１は、光ディスク１２の排出時、光ディスク装置１の電源立ち下げ時、システム制御回路４の制御によりこの管理用領域の管理用データを更新することになる。
【００２０】これに対して光ディスク１２の装填時、光ディスク装置１の電源起動時、光ピックアップ１１は、システム制御回路４の制御により、光ディスク１２の最内周に移動して、この管理用領域にレーザービームＬを照射する。さらに光ピックアップ１１は、このレーザービームＬの戻り光を受光し、戻り光の光量変化に応じて信号レベルが変化する再生信号ＲＦを検出する。さらに光ピックアップ１１は、通常の再生モードにおいて、システム制御回路４の制御により光ディスク１２のユーザー領域にレーザービームＬを照射し、その結果得られる再生信号ＲＦを出力する。
【００２１】
復調器１４は、再生信号ＲＦを２値化して順次ラッチすることにより、２値化データを生成し、この２値化データを所定ビットパラレルの再生データＤ２に変換して出力する。ＥＣＣ復号化器１５は、この再生データＤ２を復号した後、誤り訂正処理する。さらにＥＣＣ復号化器１５は、再生データをシリアルデータに変化し、これによりマルチプレクサ８の出力データＤＦを再生して出力する
【００２２】図４に示すように、
デマルチプレクサ１６は、クロックＣＫ（図４（Ａ））を基準にした所定の切り換え信号ＳＥＬ２（図４（Ｃ））により接点を切り換え、ＥＣＣ復号化器１５の出力データＤＦを選択出力する
デマルチプレクサ１６は、マルチプレクサ８に入力される符号化データＤＦＡ〜ＤＦＤを再生する
【００２３】
伸長器１８Ａ〜１８Ｄは、管理用データを基準にしたシステム制御回路４の制御により、デマルチプレクサ１６より出力される符号化データＤＦＡ〜ＤＦＤをそれぞれデータ伸長して出力する。これにより伸長器１８Ａ〜１８Ｄは、それぞれ圧縮器７Ａ〜７Ｄに入力されるディジタルビデオ信号及びディジタルオーディオ信号を再生する
【００２４】
ディジタルアナログ変換回路（Ｄ／Ａ）１９Ａ〜１９Ｄは、伸長器１８Ａ〜１８Ｄより出力されるディジタルビデオ信号及びディジタルオーディオ信号をディジタルアナログ変換処理して出力する。セレクタ２０は、ユーザーの操作に応動してディジタルアナログ変換回路１９Ａ〜１９Ｄより出力されるビデオ信号及びオーディオ信号ＳＶＡ〜ＳＶＤをモニタ２１に選択出力する。これにより光ディスク装置１では、複数番組を光ディスク１２に同時に記録した後、ユーザーの所望する番組を視聴できるようになされている
　
（ｂ）
「【００７８】さらに上述の実施の形態においては、テレビジョン放送による番組を多重化して記録する場合について述べたが、本発明はこれに限らず、
ＦＭ放送番組
　
　上記引用例記載事項及び図面を総合勘案すると、引用例には、結局、次の発明（以下、「引用発明」という。）が記載されている。
　
「ＦＭ放送波を受信するアンテナ（２）、
　複数系統の選局回路、復調器により構成され、ユーザーの所望する複数チャンネルのＦＭ放送波を選局して、オーディオ信号（ＳＶＡ〜ＳＶＤ）を出力するチューナー（３）、
　それぞれオーディオ信号（ＳＶＡ〜ＳＶＤ）をアナログディジタル変換処理し、ディジタルオーディオ信号を出力するアナログディジタル変換回路（６Ａ〜６Ｄ）、
　それぞれディジタルオーディオ信号をデータ圧縮して符号化データ（ＤＦＡ〜ＤＦＤ）を出力する圧縮器（７Ａ〜７Ｄ）、
　切り換え信号（ＳＥＬ１）に応動して符号化データ（ＤＦＡ〜ＤＦＤ）を選択出力するマルチプレクサ（８）、
　マルチプレクサ（８）の出力データ（ＤＦ）を符号化して出力するＥＣＣ符号化器（９）、
　ＥＣＣ符号化器（９）の出力データに基づいて変調信号を生成し、変調信号により光ピックアップ（１１）を駆動する変調器（１０）、
　光ディスク（１２）、
　光ピックアップ（１１）、
　光ピックアップ（１１）が出力する再生信号（ＲＦ）を再生データ（Ｄ２）に変換して出力する復調器（１４）、
　再生データ（Ｄ２）を復号し、マルチプレクサ（８）の出力データ（ＤＦ）を再生して出力するＥＣＣ復号化器（１５）、
　切り換え信号（ＳＥＬ２）に応動して出力データ（ＤＦ）を選択出力し、マルチプレクサ（８）に入力される符号化データ（ＤＦＡ〜ＤＦＤ）を再生するデマルチプレクサ（１６）、
　符号化データ（ＤＦＡ〜ＤＦＤ）をそれぞれデータ伸長して出力し、それぞれ圧縮器（７Ａ〜７Ｄ）に入力されるディジタルオーディオ信号を再生する伸長器（１８Ａ〜１８Ｄ）、
　ディジタルオーディオ信号をディジタルアナログ変換処理して出力するディジタルアナログ変換回路（１９Ａ〜１９Ｄ）、
　ユーザーの操作に応動してディジタルアナログ変換回路（１９Ａ〜１９Ｄ）より出力されるオーディオ信号（ＳＶＡ〜ＳＶＤ）をモニタ（２１）に選択出力するセレクタ（２０）、
を備える番組記録装置。」
　
３．対比
　そこで、本願補正発明と引用発明とを対比する。
　引用発明における「受信するアンテナ（２）」及び「チューナー（３）」は、あわせて本願補正発明における「受信手段」に相当する。
　引用発明における「光ディスク（１２）」は、本願補正発明における「記憶手段」に相当する。
　引用発明における「アナログディジタル変換回路（６Ａ〜６Ｄ）」、「圧縮器（７Ａ〜７Ｄ）」、「マルチプレクサ（８）」、「ＥＣＣ符号化器（９）」、「変調器（１０）」及び「光ピックアップ（１１）」は、「受信手段が復調した複数のラジオ放送のオーディオ信号を記憶手段に書き込む」ものである限りで、あわせて本願補正発明における「書込手段」に相当する。
　引用発明における「光ピックアップ（１１）」、「復調器（１４）」、「ＥＣＣ復号化器（１５）」、「デマルチプレクサ（１６）」、「伸長器（１８Ａ〜１８Ｄ）」、「ディジタルアナログ変換回路（１９Ａ〜１９Ｄ）」、「セレクタ（２０）」及び「モニタ（２１）」は、「オーディオ信号を記憶手段から読み出して再生する」ものである限りで、あわせて本願補正発明における「再生手段」に相当する。
　引用発明における「番組記録装置」は、本願発明と同じ「ラジオ受信装置」に他ならない。
　すると、本願補正発明と引用発明は、次の点で一致する。
＜一致点＞
「複数のラジオ放送を同時に受信し、該複数のラジオ放送のオーディオ信号を復調する受信手段と、
　前記オーディオ信号を記憶する記憶手段と、
　前記受信手段が復調した複数のラジオ放送のオーディオ信号を前記記憶手段に書き込む書込手段と、
　オーディオ信号を前記記憶手段から読み出して再生する再生手段と、
　を備えたラジオ受信装置。」
　
　一方、両者は次の各点で相違する。
（相違点１）
　本願補正発明は、同一の内容を放送している複数のラジオ放送の各々の周波数を記憶した周波数テーブルと、受信手段が受信しているラジオ放送の電波強度を検出し、該電波強度が所定値以下の場合には周波数テーブルを参照して受信するラジオ放送の周波数を切り換える制御手段とを備えているのに対し、引用発明は、電波強度に応じた周波数の切り換え制御について、特に示されていない点。
　
（相違点２）
　書込手段が、本願補正発明は、記憶手段に記憶されている古いオーディオ信号から順に新しいオーディオ信号で上書き更新してゆくものであるのに対し、引用発明は、上書き更新について、特に示されていない点。
　
（相違点３）
　本願補正発明は、書込手段によるオーディオ信号の記憶手段への書き込みを、受信時刻を示す時刻情報およびラジオ放送を識別するチャンネル情報を付加して行い、記憶手段に記憶されているオーディオ信号の再生箇所を時刻情報またはチャンネル情報で指定する指定手段を備え、再生手段によるオーディオ信号の記憶手段からの読み出しは、指定手段で指定された再生箇所のものがなされるものであるのに対し、引用発明は、時刻情報およびチャンネル情報を付加することや、時刻情報またはチャンネル情報で指定された再生箇所の読み出しを行うことについて、特に示されていない点。
　
（相違点４）
　本願補正発明は、書込手段と再生手段が並行して動作するものであるのに対し、引用発明は、並行して動作することについて、特に示されていない点。
　
４．判断
　上記相違点についてそれぞれ検討する。 
（相違点１について）
　同一の内容を放送している複数のラジオ放送の各々の周波数を記憶した周波数テーブルと、受信手段が受信しているラジオ放送の電波強度を検出し、該電波強度が所定値以下の場合には周波数テーブルを参照して受信するラジオ放送の周波数を切り換える制御手段とを備えているラジオ受信装置は、例えば、拒絶査定時に周知技術として提示された特開平６−９０１４０号公報等に記載されているように、本願出願前に当業者に周知のものであるから、引用発明においても、そのような周波数テーブルと制御手段とを備えるようにすることは、当業者が容易になし得ることと認められる。
　なお、同じく拒絶査定時に周知技術として提示された特開平４−１５７８１０号公報、実願平２−６７６８３号（実開平４−２５３３２号）のマイクロフィルムのほか、特開平８−１９１２４９号公報にも、ラジオ放送の周波数の切り換え制御を行うものが記載されている。
　
（相違点２について）
　情報記録再生装置において、記憶手段に記憶されている古い情報信号から順に新しい情報信号で上書き更新してゆくことは、例えば、特開平９−２６１５７２号公報（特に０００３段落を参照）、特開平９−３５４１１号公報（特に００２９段落を参照）、特開平７−３０８５１号公報（特に０００７段落を参照）等に記載されているように、本願出願前に当業者の周知技術であるから、引用発明において、書込手段を、記憶手段に記憶されている古いオーディオ信号から順に新しいオーディオ信号で上書き更新してゆくものとすることは、当業者が容易になし得ることと認められる。
　
（相違点３について）
　放送受信装置において、受信した放送の信号を受信時刻を示す時刻情報や放送を識別するチャンネル情報を付加して記憶手段に書き込み、記憶手段に記憶されている信号の再生箇所を時刻情報やチャンネル情報で指定し、指定された再生箇所の信号を記憶手段から読み出すようにすることは、例えば、特開平９−３５４１１号公報、特開平７−３０８５１号公報（特に０００７段落を参照）等に記載されているように、本願出願前に当業者の周知技術であるから、引用発明において、書込手段によるオーディオ信号の記憶手段への書き込みを、受信時刻を示す時刻情報およびラジオ放送を識別するチャンネル情報を付加して行うようにし、記憶手段に記憶されているオーディオ信号の再生箇所を時刻情報またはチャンネル情報で指定する指定手段を設け、再生手段によるオーディオ信号の記憶手段からの読み出しを、指定手段で指定された再生箇所のものがなされるようにすることは、当業者が容易になし得ることと認められる。
　なお、時刻情報やチャンネル情報を用いて再生箇所を指定し、記憶手段から読み出すものは、そのほか、特開平２−２７８５８８号公報にも記載されている。
　
（相違点４について）
　情報記録再生装置において、書込手段と再生手段が並行して動作するものは、例えば、特開平５−１５１７５８号公報（特に００１７段落を参照）、特開平９−３５４１１号公報（特に００３２段落を参照）、特開平７−３０８５１号公報（特に図２を参照）、特開平６−１３９６９７号公報等に記載されているように、本願出願前に当業者に周知のものであるから、引用発明においても、書込手段と再生手段が並行して動作するようにすることは、当業者が容易になし得ることと認められる。
　
５．本件補正についての結び
　以上のとおり、本願補正発明は、引用例に記載された発明及び周知技術に基づいて当業者が容易に発明をすることができたものであり、特許法第２９条第２項の規定により、特許出願の際独立して特許を受けることができないものであるから、本件補正は、特許法第１７条の２第５項で準用する同法第１２６条第５項の規定に違反するものであり、特許法第１５９条第１項で読み替えて準用する同法第５３条第１項の規定により却下すべきものである。
　
第３　本願発明について
１．本願発明
　平成１７年１月１７日付けの手続補正は上記のとおり却下されたので、本願の請求項１に係る発明（以下、「本願発明」という。）は、平成１６年７月２３日付け手続補正により補正された明細書の特許請求の範囲の請求項１に記載されたとおりのものであるところ、本願発明は、上記「第２〔理　由〕１．」に、本件補正前の請求項１として掲げたとおりのものである。
　
２．引用例
　原査定の拒絶の理由に引用された引用例及びその記載事項は、前記「第２　〔理由〕２．」に記載したとおりである。
　
３．対比・判断
　本願発明は、上記「第２　〔理由〕」で検討した本願補正発明から、書込手段が記憶手段に記憶されている古いオーディオ信号から順に新しいオーディオ信号で上書き更新してゆくものであることの限定を削除したものに相当する。
　そうすると、本願発明の構成要件を全て含み、更に他の要件を付加したものに相当する本願補正発明が前記「第２　〔理由〕４．」に記載したとおり、引用例に記載された発明及び周知技術に基づいて当業者が容易に発明をすることができたものであるから、本願発明も、同様の理由により、引用例に記載された発明及び周知技術に基づいて当業者が容易に発明をすることができたものである。
　
４．むすび
　以上のとおり、本願の請求項１に係る発明は、特許法第２９条第２項の規定により特許を受けることができないものであるから、本願は、その余の請求項について論及するまでもなく、拒絶すべきものである。
　よって、結論のとおり審決する。